(57)【要約】  【課題】  本発明では、直飲み式の利点である手軽に飲用が可能であるという利点を活かしつつ、複数人で共有できる携帯飲料容器の提供を目的とする。  【解決手段】  内部の飲料を直に飲むための飲み口を上端に有した直飲み式の携帯飲料容器１１の中栓構造であって、上記中栓１３を、該中栓１３の本体部材１６の上部に、飲み口部材１７を回転可能に取り付けて構成し、上記本体部材１６の上面１８ｂに、飲料の通過を許容する１つの流路開口部２１ａを設け、該流路開口部２１ａの形成位置が、上記本体部材１６の上面１８ｂにおける、上記飲み口部材１７の回転中心からずらした部位であり、上記飲み口部材１７の下面１７ａにおける上記回転中心を中心とする円周２７上であって、上記流路開口部２１ａを軌道上に有する円周２７上において上記流路開口部２１ａと連通する飲み口２９ａ，２９ｂを、上記飲み口部材１７に複数設けた携帯飲料容器１１の中栓構造。  【選択図】    図１
2005306434.tif 000002
【特許請求の範囲】
【請求項１】
内部の飲料を直に飲むための飲み口を上端に有した直飲み式の携帯飲料容器の中栓構造であって、
上記中栓を、該中栓の本体部材の上部に、飲み口部材を回転可能に取り付けて構成し、
上記本体部材の上面に、飲料の通過を許容する１つの流路開口部を設け、
該流路開口部の形成位置が、上記本体部材の上面における、上記飲み口部材の回転中心からずらした部位であり、
上記飲み口部材の下面における上記回転中心を中心とする円周上であって、上記流路開口部を軌道上に有する円周上において上記流路開口部と連通する上記飲み口を、上記飲み口部材に複数設けた
携帯飲料容器の中栓構造。
【請求項２】
前記本体部材の内部に、飲料が前記流路開口部を通過することを阻止する栓部材を設けた
請求項１に記載の携帯飲料容器の中栓構造。
【請求項３】
前記本体部材と、前記飲み口部材との相互間に、前記流路開口部と前記飲み口とが連通したときに、上記本体部材に対して上記飲み口部材を位置決めする位置決め手段を設けた
請求項１、又は請求項２に記載の携帯飲料容器の中栓構造。
【発明の詳細な説明】
【技術分野】
【０００１】
この発明は、水やお茶など各種の飲料を入れておく携帯型の携帯飲料容器に関する。
【背景技術】
【０００２】
このような携帯飲料容器には、大きく２つのタイプがある。ひとつは、内部の飲料を飲むコップや、コップとして利用できる蓋を備えたもので、容器を傾けてコップや蓋に飲料を注いでから飲むものである。他のひとつは、容器の上端部に形成したひとつの飲み口に直接口を付けて飲む直飲み式のものである。
【０００３】
前者の容器では、液体を注ぎ出してから間接的に飲むので、ピクニックやハイキング等に出かけた時にひとつの容器の飲料を複数人で飲むことにさしたる抵抗はない。このため、飲料を共用できることによる利点があった。
【０００４】
しかし、後者の容器では、飲料を飲むのに唯一の飲み口に直接口を付けて飲むので、複数人で飲むことに大きな抵抗がある。このため、ピクニックやハイキング等で誰かが飲料を忘れたり、飲み干してしまって足りなかったりした時に対応できないなど、不便なことがあった。
【０００５】
従来、注ぎ出し式と直飲み式とを選択できるようにしたもの（特許文献１参照）が提案されていた。しかしこれは、上述のような不便な点を解消する一助にはなるものの、部品点数は多く、飲むための手順も多いという難点がある。いわば、直飲み式の利点を減殺してしまうものであった。
【０００６】
【特許文献１】特開平９−３１３３６３号公報
【発明の開示】
【発明が解決しようとする課題】
【０００７】
そこで本発明では、直飲み式の利点である手軽に飲用が可能であるという利点を活かしつつ、複数人で共有できる携帯飲料容器の提供を目的とする。
【課題を解決するための手段】
【０００８】
本発明の携帯飲料容器の中栓構造は、内部の飲料を直に飲むための飲み口を上端に有した直飲み式の携帯飲料容器の中栓構造であって、上記中栓を、該中栓の本体部材の上部に、飲み口部材を回転可能に取り付けて構成し、上記本体部材の上面に、飲料の通過を許容する１つの流路開口部を設け、該流路開口部の形成位置が、上記本体部材の上面における、上記飲み口部材の回転中心からずらした部位であり、上記飲み口部材の下面における上記回転中心を中心とする円周上であって、上記流路開口部を軌道上に有する円周上において上記流路開口部と連通する飲み口を、上記飲み口部材に複数設けたことを特徴とする。
【０００９】
上記構成を採る上記携帯飲料容器の飲料を飲む場合、該携帯飲料容器の使用者は、例えば、飲み口部材の外周部など所定の部位を抓み、上記飲み口部材を、上記本体部材に対して回転させる。そして、上記複数の飲み口の中でも自分が口をつける飲み口に対応する飲み口が上記流路開口部と連通したときに、上記飲み口部材の回転を停止させて、飲料を飲むことができる。
【００１０】
また、上記携帯飲料容器の中栓構造は、上記本体部材の内部に、飲料が上記流路開口部を通過することを阻止する栓部材を設けたことを特徴とする。
【００１１】
上記飲み口と上記流路開口部とが連通した状態であっても、上記栓部材により、内部の飲料が飲み口を通じて外部に流出してしまうことを防止することができる。
【００１２】
なお、上記栓部材は、例えば、レバーなどの部材を用いて、手動で栓部材を操作する構成としてもよいが、好ましくは、例えば、蓋などを設けて、その蓋の着脱に従って、栓部材を従属的に開閉操作する構成としてもよい。
【００１３】
さらに、上記携帯飲料容器の中栓構造は、上記本体部材と、上記飲み口部材との相互間に、上記流路開口部と上記飲み口とが連通したときに、上記本体部材に対して上記飲み口部材を位置決めする位置決め手段を設けたことを特徴とする。
【００１４】
上記構成を採れば、上記飲み口部材は、上記本体部材に対して、上記流路開口部と上記飲み口部とが連通する位置に達したとき、上記位置決め手段によりその回転を停止させて、位置決めすることができる。
【００１５】
このため、使用者は、該飲み口部材を上記本体部材に対して、上記飲み口と上記流路開口部とが連通する周辺位置まで回転させるだけで飲み口を変更できる。
【発明の効果】
【００１６】
以上のように、この発明によれば、飲み口となる複数の飲み口を設けているため、携帯飲料容器を複数人で抵抗感なく共有することができ、例えば飲料を忘れた人や飲料が足りなくなった人に分け与えることができ、便利である。
【００１７】
また、本願請求項１に係る発明によれば、飲み口部材を本体部材に対して、回転させることにより、所望の飲み口に変更することができる。  
このため、例えば、飲み口を変更するために、飲み口部材を本体部材に対して着脱させる必要もなく、飲み口部材と本体部材とを一体のまま、飲み口を手軽に変更できる。
【００１８】
しかも、本願請求項１に係る発明によれば、飲料を飲む際に、使用していない他の飲み口は、飲み口部材の下面において、本体部材の上面により閉塞されている。このため、使用していない他の飲み口から飲料が外側に流出してしまうことがない。  
よって、飲み口部材自体を、飲料が流出してしまうことに対する対策を施した構成とする必要がないため、中栓の構造をコンパクトな構成とすることができる。
【００１９】
また、本願請求項２に係る発明によれば、内部の飲料が流出することを確実に防止することができる。このため、携帯飲料容器を使用していないときに、たとえ飲み口と流路開口部とが連通した状態のまま傾けても、内部の飲料が流出してしまう心配がない。
【００２０】
また、本願請求項３に係る発明によれば、意識的に上記流路開口部と上記飲み口とが正確に連通する位置まで、飲み口部材を正確に回転させなくても、上記位置決め手段により、物理的に飲み口部材の回転が停止するよう位置決めすることができる。
【００２１】
よって、例えば、歩行しているときなど飲料を飲む以外の動作をしながらでも飲み口の変換を容易に行うことができる。しかも、飲料を飲んでいるときに、本体部材に対する飲み口部材の位置がずれることもないため、飲み易い状態に維持することができる。
【発明を実施するための最良の形態】
【００２２】
この発明の一実施形態を、以下図面を用いて説明する。  
図１、図２に示すごとく、本実施形態における携帯飲料容器１１は、内部に飲料を貯液する貯液容器１２と、該貯液容器１２に着脱可能に取り付けられている中栓１３と、該中栓１３の上に着脱可能に被着する蓋１４とを有して構成する。
【００２３】
上記貯液容器１２は、ステンレス製の真空二重構造に構成している。上記貯液容器１２は、下部から中部を有底円筒状に形成している（図示せず）。上記貯液容器１２の上部は、上端に開口部１５を有して構成するとともに、貯液容器１２の中部から上部にかけての外周部は、上記開口部１５の口径となるよう窄んだ形態をしている。
【００２４】
さらに、その窄んだ外周部には、円筒錐状をした合成樹脂製の肩部材１２ａが嵌着されている。そして、上記貯液容器１２の上部は、その窄んだ外周部の口径のまま上端まで達し、上記開口部１５の縁部１５ａを構成している。  
加えて、上記開口部１５の内周縁部には、上記中栓１３を取り付けるための雌螺子部１５ｂを形成している。
【００２５】
また、上記中栓１３の構成は、該中栓１３の本体部位を構成する本体部材１６の上面に、飲料の飲み口を有する飲み口部材１７の下面を回転可能に嵌着して構成している。
【００２６】
なお、上記本体部材１６の上面における外周縁部において、環状のシーリング部材１０を介在させて、上記飲み口部材１７を嵌着することにより、中栓１３は、本体部材１６と飲み口部材１７との間を止水している。
【００２７】
上記中栓１３における本体部材１６は、上底面１８ｂを有する円筒状をした幹部材１８と、上記蓋１４が取り付け可能な蓋取付け部材１９とを有して構成し、上記幹部材１８の上部における外周部に上記蓋取付け部材１９を嵌合して一体に構成している。
【００２８】
上記蓋取付け部材１９は、円環状の部材の上部における外周部に雄螺子部１９ａを形成し、下部における外周部には、上記本体部材１６を上記貯液容器１２に取り付けたとき、貯液容器１２の開口部１５の縁部を包囲可能に下方へ末広がり状に張り出した裾部１９ｂを設けている。
【００２９】
また、上記幹部材１８の下部における外周部には、上記貯液容器１２の開口部１５の内周縁部の雌螺子部１５ｂと螺合する雄螺子部１８ａを形成している。
【００３０】
さらに、幹部材１８の内部には、上記貯液容器１２内の飲料が通過する流路２１を構成している。そして、幹部材１８の内部には、上記流路２１を開閉自在とすべく、栓部材２３を具備している。
【００３１】
上記栓部材２３は、幹部材１８の下端部における外周径と略同一径を有した円板状の部位２３ａと、該円板状の部位２３ａの中央部における一方側から垂直方向に突設した棒状の部位２３ｂとを有して構成している。  
さらに、上記円板状の部位２３ａにおける外周縁部には、止水用のシーリング部材２４が嵌め込まれている。また、上記棒状の部位２３ｂには、その端部側の外周部を凹ませた環状凹溝２３ｃを形成している。
【００３２】
上記幹部材１８は、上底面１８ｂの中央部を開口させた中央開口部を有するとともに、該中央開口部の縁部を下方に突設させて有底円筒状に構成している。その有底円筒状に構成した内部には、栓部材操作部２０を構成している。
【００３３】
上記栓部材操作部２０の構成は、上記有底円筒状に突設させた内底面２２ａにおける中央部には、上記栓部材２３の棒状の部位２３ｂを挿通可能な挿通孔２２ｂを形成し、該挿通孔２２ｂの縁部には、上記栓部材２３を摺動可能に支持する支持部２２ｃを形成している。
【００３４】
さらに、上記内底面２２ａにおける上記支持部２２ｃの外周側には、圧縮コイルからなるバネ２５を起立させた状態で載置可能に環状に凹んだバネ載置部２２ｄを形成し、該バネ載置部２２ｄには、バネ２５を載置している。
【００３５】
そして、上記栓部材２３の棒状の部位２３ｂを挿通孔２２ｂの下側から挿通させ、該棒状の部位２３ｂにおける上記環状凹溝２３ｃに円板状をして上記バネ２５を圧縮させる付勢板２２ｅを嵌合させて上記バネ載置部２２ｄとの間でバネ２５を押し縮めて、栓部材２３を上方に付勢させている。
【００３６】
さらに、栓部材操作部２０の上部には、梃子の原理により、栓部材２３を下方向に可動させるレバー２６を有している。
【００３７】
上記レバー２６は、栓部材操作部２０の上部に枢着されるもので、該レバー２６は、上下方向の中間部に、栓部材操作部２０に取り付けるための軸２６ｄを有し、下方には、押圧部２６ｂを、上方には抓み部２６ｃを有して形成している。
【００３８】
上記構成により、レバー２６を起立させると、栓部材２３が下降し、幹部材１８の下端部と栓部材２３との隙間から流路２１内へ飲料を通過させることができる。また、レバー２６を傾倒させると、栓部材２３は、上昇し、流路２１の下端部を栓部材２３で止水することができる。
【００３９】
続いて、図３（ａ）に示したように、上記中央開口部には、該中央開口部に嵌め込まれ、上記レバー２６の抓み部２６ｃを挿通可能な貫通孔３２ａを有する円環状の中央開口部用蓋３２が本体部材１６（幹部材１８）の上底面１８ｂに対して一体に固定されている。  
そして、本体部材１６の上底面１８ｂには、上記中央開口部用蓋３２が有する部位からずらした外周側の１部位に、貯液容器１２内の飲料の通過を許容する流路開口部２１ａを設けている（図３（ａ）参照）。
【００４０】
一方、上記飲み口部材１７の構成は、図３（ｂ）に示したように、その下面１７ａが本体部材１６の上面と対接した状態で嵌着したとき、本体部材１６に対して、上記飲み口部材１７が回転する回転中心を中心とする円周上であって、上記飲み口部材１７における本体部材１６の上底面１８ｂに有する流路開口部２１ａを軌道上に有する円周２７上に、飲み口路２８ａ，２８ｂの下端開口部２８ｃ，２８ｄが２つ開口している。さらに詳しくは、上記２つの下端開口部２８ｃ，２８ｄは、飲み口部材１７の下面１７ａの中央部に対する両側でそれぞれ開口している。
【００４１】
上記２つの飲み口路２８ａ，２８ｂは、それぞれに対応する２つの下端開口部２８ｃ，２８ｄの周縁部において、それぞれ飲み口部材１７の下面１７ａから上方へ突き出した飲み口部２９ａ，２９ｂの内部を飲料が通過する流路であり、上記各飲み口部２９ａ，２９ｂは、該下端開口部２８ｃ，２８ｄの周縁部から上方に突き出した直後に、互いに反対方向に屈折した形態で構成される。  
なお、上記２つの飲み口部２９ａ，２９ｂは、目視により互いを認識できるように、それぞれ異なる色を付して形成している（図示せず）。このように、２つの飲み口部２９ａ，２９ｂは、携帯飲料容器１１の使用者が互いの違いを認識し易いように適宜、模様、形状など互いの形態を異なる形態に形成してもよい。
【００４２】
さらに、飲み口部材１７の下面１７ａには、飲み口部材１７と本体部材１６とを嵌着したとき、レバー２６の抓み部２６ｃを突き出す貫通孔１７ｂを備えている。
【００４３】
上記飲み口部材１７を上記本体部材１６に対して嵌着させると、図４に示したように、一方の飲み口路２８ａにおける下端開口部２８ｃを上記本体部材１６の流路開口部２１ａに連通させることができる。
【００４４】
さらに、上記本体部材１６と上記飲み口部材１７とには、このような上記流路開口部２１ａと上記飲み口路２８とが連通した状態で飲み口部材１７を本体部材１６に対して位置決めすべく、位置決め手段３１ａ，３１ｂを構成している。
【００４５】
また、上記蓋取付け部材１９の上記裾部１９ｂにおける上記流路開口部２１ａに対応する部位には、三角形に凹んだ形状の目印１９ｃを形成している（図３（ａ）参照）。携帯飲料容器１１の使用者は、飲み口部２９ａ，又は２９ｂが上記目印１９ｃに対して周方向において一致したときに、上記流路開口部２１ａと上記飲み口路２８ａ，又は２８ｂとが連通していることを認識することができる。
【００４６】
具体的には、上記本体部材１６の上底面１８ｂに有する上記中央開口部用蓋３２における上記流路開口部２１ａと、上記中央開口部との各中心点を結ぶ線上であって、中央開口部に対して両側部位には、凹状に凹んだ位置決め可能な位置決め凹部３１ａをそれぞれ形成している［図３（ａ）、図４参照］。
【００４７】
一方、上記飲み口部材１７の下面１７ａにおいては、上記流路開口部２１ａと上記飲み口路２８とが連通した状態に、飲み口部材１７を本体部材１６に対して回転させたとき、上記位置決め凹部３１ａに対応する部位に、該位置決め凹部３１ａに係合する凸状の位置決め凸部３１ｂを形成している［図３（ｂ）、図４参照］。
【００４８】
最後に、上記構成を採る中栓１３に取り付けられる蓋１４は、飲み口部材１７に飲み口部２９ａ，２９ｂを突設していても、包囲可能に構成し、その内周部における下部には、上記蓋１４取付け部の雄螺子部と螺合する雌螺子部１４ａを形成している（図２参照）。
【００４９】
本実施形態における携帯飲料容器１１は、上述のように構成するものとして、以下、上記携帯飲料容器１１を使用する２人の使用者Ａ、Ｂが貯液容器１２内に貯液された飲料（図示せず）を飲む際における作用・効果を説明する。
【００５０】
まず、一方の使用者Ａは、蓋１４を本体部材１６（貯液容器１２）に対して回転させながら雌螺子部１４ａと雄螺子部１９ａとの螺合を解除することで本体部材１６から取り外す。  
そして、使用者Aは、自身が用いる飲み口部２９ａが目印１９ｃと周方向において一致しているように、飲み口部材１７が位置決めされていることを確認する。このように、飲み口部材１７が位置決めされていれば、レバー２６を起立させる。
【００５１】
これにより、流路２１が開通するとともに、飲み口路２８ａの下端開口部２８ｃと流路開口部２１ａとが連通するため、使用者Ａは、貯液容器１２を傾けながら飲み口部２９ａに口をつけて飲料を飲むことができる。
【００５２】
このように、貯液容器１２を傾けた状態であっても、口をつけていない他方の飲み口路２８ｂから飲料が流出してしまうおそれがない。
【００５３】
次に、使用者Bが自身の飲み口部２９ｂを用いて飲料を飲む手順について説明する。  
使用者Bは、図５（ａ）に示したように、目印１９ｃに対向する位置において、上記飲み口部２９ａが位置決めされている状態から自身の飲み口部２９ｂへと変更するために、飲み口部材１７を本体部材１６に対して、回転させる。
【００５４】
具体的には、使用者Bは、指で飲み口部材１７の外周部を抓み、飲み口部材１７を例えば、時計回りに回転させる。これにより、本体部材１６の位置決め凹部３１ａと飲み口部材１７の位置決め凸部３１ｂとの係合が解除させることができる。このように、一旦、位置決め凹部３１ａと位置決め凸部３１ｂとの係合が解除されると、図５（ｂ）に示したように、飲み口部材１７を滑らかに回転させることができる。
【００５５】
飲み口部材１７を本体部材１６に対して、回転させているときの中栓１３の要部断面の上部の形態は、図６に示したようになる。すなわち、飲み口路２８ａ（２８ｂ）の下端開口部２８ｃ，２８ｄのいずれもが流路開口部２１ａと連通していない状態であるため、飲み口部材１７を回転させている途中に、たとえ携帯飲料容器１１が傾いても、貯液容器１２内の飲料が流出してしまうことがない。
【００５６】
そして、使用者Ｂは、飲み口部２９ｂが目印１９ｃの近傍に達するまで飲み口部材１７を回転させると、本体部材１６の周方向における位置決め凹部３１ａの有する部位を該飲み口部材１７の位置決め凸部３１ｂが軽く通過する程度の力で飲み口部材１７を緩やかに回転させる。
【００５７】
これにより、図７に示したように、位置決め凸部３１ｂは位置決め凹部３１ａに係合されるため、飲み口部材１７と本体部材１６とが正確に位置決めされた状態で飲み口部材１７の回転を停止させることができる。
【００５８】
よって、使用者Bの飲み口路２８ｂが流路開口部２１ａと連通した状態となるため、使用者Bは、携帯飲料容器１１を傾けて飲料を飲むことができる。  
なお、飲料を飲み終えた後は、レバー２６を倒伏させて、蓋１４をしておけばよい。
【００５９】
以上のように、中栓１３には、飲み口となる複数の飲み口路２８ａ，２８ｂを有しているため、使用者Ａ，使用者Bとの間で抵抗感なく一つの携帯飲料容器１１を共有することができる。
【００６０】
しかも、飲み口部材１７を本体部材１６に対して回転させるだけで手軽に飲み口を変更することができる。
【００６１】
次に、他の実施形態に係る携帯飲料容器１１について、説明する。
【００６２】
上記流路開口部２１ａは、上記本体部材１６（幹部材１８）の上底面１８ｂに１つ設ける構成に限らず複数配設した構成としてもよい。  
例えば、上記本体部材１６（幹部材１８）の上底面１８ｂに、上記飲み口路２８ａ，２８ｂと同径の流路開口部と、上記飲み口路より小径の流路開口部との２つの流路開口部を配設した構成することができる。
【００６３】
上記構成を採る場合、使用者が大人か子供かに応じて、或いは貯液容器１２内の飲料の残量などに応じて、上記飲み口路２８ａ，２８ｂと連通させる流路開口部を任意に選択し、飲料の流出量を調節することができる。
【００６４】
また、他の実施形態に係る携帯飲料容器１１について、上記飲み口部材１７と本体部材１６とに介在させた止水用のシーリング部材１０は、上述した形態、取り付け形態に限らず例えば、流路開口部２１ａの周縁部、及び／又は、飲み口路２８ａ，２８ｂの下端開口部２８ｃ，２８ｄの周縁部に取り付け可能な形態のシーリング部材を取り付けて止水してもよい。
【００６５】
さらに、上記蓋１４は、例えば、本体部材１６に対して蓋１４を取り付けた時にその動作に連動してレバー２６が倒伏して流路２１を開通させたり、逆に、本体部材１６に対して蓋１４を取り外した時に、その動作に連動してレバー２６が起立して流路２１を閉塞する構成としてもよい。
【００６６】
その他、携帯飲料容器１１は、例えば、蓋１４や栓部材２３がない構成であってもよい。この構成において、流路２１を閉塞する場合は、例えば、流路開口部２１ａと飲み口路２８との下端開口部２８ｃ，２８ｄとが連通しないように本体部材１６に対して、上記飲み口部材１７を回転させた状態で携帯飲料容器１１を傾けても、充分、貯液容器１２内の飲料の流出を阻止することができる。
【００６７】
上述の実施形態と、この発明の構成との対応において、この実施形態の飲み口部２９ａ，２９ｂは、この発明の飲み口に対応するも、この発明は、上述の実施形態の構成のみに限定されるものではなく、多くの実施の形態を得ることができる。
【図面の簡単な説明】
【００６８】
【図１】携帯飲料容器の要部の断面図。
【図２】携帯飲料容器の要部を分解した片側断面図。
【図３】本体部材と飲み口部材の平面図。
【図４】中栓の要部の断面図。
【図５】本体部材に対する飲み口部材の回転前と回転中の様子を示す説明図。
【図６】図５（ｂ）におけるＡ−Ａ断面図。
【図７】回転後の様子を示す中栓の平面図（ａ）、側面図（ｂ）。
【符号の説明】
【００６９】
１１…携帯飲料容器
１３…中栓
１６…本体部材
１７…飲み口部材
２３…栓部材
２１ａ…流路開口部
２７…円周
２９ａ，２９ｂ…飲み口部
３１ａ，３１ｂ…位置決め手段（位置決め凹部，位置決め凸部）
【図１】
2005306434.tif 000003
【図２】
2005306434.tif 000004
【図３】
2005306434.tif 000005
【図４】
2005306434.tif 000006
【図５】
2005306434.tif 000007
【図６】
2005306434.tif 000008
【図７】
2005306434.tif 000009